(57)【特許請求の範囲】
【請求項１】
汚泥を含む被処理水に対して処理を行う複数の水処理領域を備えた水処理装置であって、
前記複数の水処理領域を備えた槽本体部と、
前記槽本体部に取り付けられるとともに、前記槽本体部の内部領域を第１水処理領域と第２水処理領域に区画する区画壁と、
さらに水処理領域を区画するべく前記区画壁に取り付けられた第２区画壁と、を備え、
前記槽本体部と前記第２区画壁の一方には、水平に突出する凸部が形成されており、
前記槽本体部と前記第２区画壁の他方には、前記凸部と係合する凹部が形成されており、
前記第２区画壁は、前記区画壁に支持されるとともに、前記凸部と前記凹部の係合によって前記槽本体部に支持されるように構成されており、
前記槽本体部は、上側槽構成体と下側槽構成体が接合されて構成されており、
前記凸部は、前記第２区画壁に設けられており、
前記凹部は、前記槽本体部のうち、前記上側槽構成体と前記下側槽構成体の間に設けられており、
前記凸部は、前記凹部として構成された前記上側槽構成体と前記下側槽構成体の間に配置されて、前記上側槽構成体と前記下側槽構成体に挟持されるように構成されていることを特徴とする水処理装置。
【請求項２】
請求項１に記載の水処理装置であって、
前記第２区画壁は、前記第２処理領域内に前記区画壁と前記第２区画壁で囲まれた第３処理領域を形成するように構成されており、
前記第３処理領域には、前記第３処理領域内の被処理水を当該水処理装置の外部に排水する前に消毒するための消毒領域が設定されていることを特徴とする水処理装置。
【請求項３】
請求項２に記載の水処理装置であって、
前記第２区画壁と前記槽本体部を貫通し、前記消毒領域内の被処理水を当該水処理装置の外部に排出するための排出管が設けられており、
前記凸部は、前記排出管の下方に設けられていることを特徴とする水処理装置。
【請求項４】
請求項１〜３のいずれか１項に記載の水処理装置であって、
前記区画壁および前記第２区画壁は、前記区画壁と前記第２区画壁が互いに予め組み付けられたアセンブリ体として、前記槽本体部に取り付けられるように構成されていることを特徴とする水処理装置。
【請求項５】
請求項１〜４のいずれか１項に記載の水処理装置であって、
前記第１処理領域には、被処理水を嫌気処理する嫌気処理領域が設定されており、
前記第２処理領域は、水処理領域内の被処理水の流れ方向に関する前記第１処理領域の下流側に設けられ、
前記第２処理領域には、被処理水を好気処理する好気処理領域が設定されていることを特徴とする水処理装置。
【発明の詳細な説明】
【技術分野】
【０００１】
本発明は、生活排水等の汚水を処理する水処理装置に関する。
【背景技術】
【０００２】
特開２００８−０４３８９６号公報には、水処理装置が開示されている。この水処理装置は、夾雑物除去槽、嫌気濾床槽、接触濾床槽、処理水槽、消毒槽を備える。流入管から水処理装置に流入した汚水は、夾雑物除去槽、嫌気濾床槽、接触濾床槽、処理水槽、消毒槽において順次処理された後、放流管から水処理装置の外部へ放流される。
【先行技術文献】
【特許文献】
【０００３】
【特許文献１】特開２００８−０４３８９６号公報
【発明の概要】
【発明が解決しようとする課題】
【０００４】
上記の水処理装置において、消毒槽を保持する処理水槽の壁体は、嫌気濾床槽と接触濾床槽を区画する隔壁に対して、接触濾床槽に突出するように片持ち梁状に取り付けられている。そのため、壁体が槽本体に対して傾斜して設置されないように当該壁体の槽本体に対する取り付けを考慮する必要がある。すなわち、水処理装置に設けられる壁体の支持に関する改善が望まれる。本発明は、この点を鑑みてなされたものであり、水処理領域を区画する区画壁に取り付けられる壁体の支持に関する改良技術を提供することを課題とする。
【課題を解決するための手段】
【０００５】
上記課題は、本発明によって解決される。本発明に係る水処理装置の好ましい形態によれば、汚泥を含む被処理水に対して処理を行う複数の水処理槽を備えた水処理装置が構成される。この水処理装置は、槽本体部と、槽本体部に取り付けられる第１区画壁と、第１区画壁に取り付けられる第２区画壁と、を備える。槽本体部は、複数の水処理領域を収容する。複数の水処理領域として、第１区画壁が槽本体部内の領域を第１処理領域と第２処理領域に区画する。典型的には、第１区画壁は、水処理装置の流入口から流出口に至る被処理水の処理方向（概ね被処理水の移動方向に対応する）に交差するように設けられる。なお、水処理装置の流入口と流出口を結ぶ直線が延在する方向を水処理装置の前後方向とも称する。さらに、第２区画壁は、さらに水処理領域を区画するべく設けられる。典型的には、第２区画壁は、第１処理領域と第２処理領域のいずれか一方の処理領域をさらに複数の処理領域に区画する。複数の水処理領域としては、固液分離領域、嫌気処理領域、好気処理領域、消毒領域等を好適に包含する。そして、槽本体部と第２区画壁の一方には、水平に突出する凸部が形成されており、槽本体部と第２区画壁の他方には、凸部と係合する凹部が形成されている。この第２区画壁は、凸部と凹部の係合によって槽本体部に支持されるように構成されている。典型的には、槽前後方向に関して、凸部が第１区画壁から離間した位置に設けられる。すなわち、槽前後方向に関する複数の位置において、第１区画壁が槽本体部に支持される。
【０００６】
本発明によれば、第１区画壁は、槽本体部に直接支持されるだけでなく、第２区画壁を介して間接的に槽本体部に支持される。これにより、第１区画壁を槽本体部に対して傾斜することなく設置することができる。
【０００７】
また本発明に係る水処理装置によれば、槽本体部は、上側槽構成体と下側槽構成体が接合されて形成されている。この上側槽構成体と下側槽構成体は、水処理装置を設置した状態における上下方向に関して、略中央領域で接合されることが好ましい。凸部は、第２区画壁に設けられている。一方、凹部は、槽本体部のうち、上側槽構成体と下側槽構成体の間に設けられている。すなわち、上側槽構成体と下側槽構成体が連結される領域に凹部が形成される。したがって、上側槽構成体と下側槽構成体がそれぞれ凹部の一部分を構成する。第２区画壁に形成された凸部は、凹部として構成された上側槽構成体と下側槽構成体の間に配置されて、上側槽構成体と下側槽構成体に挟持される。なお、本形態においては、凸部と凹部が直接当接するだけでなく、凸部と凹部の間に、シムなどのスペーサや接着剤等の介在物が介在してもよい。
【０００８】
本発明に係る水処理装置の更なる形態によれば、第２区画壁は、第２処理領域内に第１区画壁と第２区画壁で囲まれた第３処理領域を形成するように構成される。そして、第３処理領域には、第３処理領域内の被処理水を水処理装置の外部に排水する前に消毒するための消毒領域が設定されている。なお、第３処理領域には、消毒領域のみが設けられていてもよく、消毒領域以外の処理領域が設けられていてもよい。第３処理領域に消毒領域と消毒領域以外の領域が形成される場合には、第３処理領域を区画する第３区画壁が第２区画壁に保持されていることが好ましい。
【０００９】
本発明に係る水処理装置の更なる形態によれば、第２区画壁と槽本体部を貫通し、消毒領域内の被処理水を水処理装置の外部に排出するための排出管が設けられており、凸部は、排出管の下方に設けられている。
【００１０】
本発明に係る水処理装置の更なる形態によれば、第１区画壁および第２区画壁は、第１区画壁と第２区画壁が互いに予め組み付けられた状態で、槽本体部に取り付けられるように構成されている。すなわち、第１区画壁と第２区画壁が予め一体となったアセンブリ体が構成され、当該アセンブリ体が槽本体部に取り付けられる。したがって、第１処理領域と第２処理領域を区画する第１区画壁の組み付けと同時に、第３処理領域を規定する第２区画壁が取り付けられる。そのため、水処理装置の製造工程の簡略化が図られる。
【００１１】
本発明に係る水処理装置の更なる形態によれば、第１処理領域には、被処理水を嫌気処理する嫌気処理領域が設定されている。また、第２処理領域は、水処理領域内の被処理水の流れ方向に関する第１処理領域の下流側に設けられるとともに、第２処理領域には、被処理水を好気処理する好気処理領域が設定されている。なお、第１処理領域には、少なくとも嫌気処理領域が設定されていればよく、例えば、固液分離処理を行う固液分離領域がさらに設けられていてもよい。また、第２処理領域には、少なくとも好気処理領域が設定されていればよく、例えば、水処理装置から排水される前の被処理水を消毒する消毒領域がさらに設けられていてもよい。この形態によれば、水処理領域において、上流側の第１処理領域において被処理水の嫌気処理が行われ、下流側の第２処理領域において被処理水の好気処理が行われる。
【発明の効果】
【００１２】
本発明によれば、水処理領域を区画する区画壁に取り付けられる壁体の支持に関する改良技術が提供される。
【図面の簡単な説明】
【００１３】
【図１】本発明の代表的な実施形態に係る水処理装置の概要を示す図である。
【図２】水処理装置における被処理水の処理フローを示す図である。
【図３】図１のIII-III線における水処理装置の平面図である。
【図４】図３のIV-IV線における断面図である。
【図５】図３のV-V線における断面図である。
【図６】図３のVI-VI線における断面図である。
【図７】隔壁および区画壁のアセンブリ体を示す斜視図である。
【図８】上側槽構成体と下側槽構成体の連結領域の拡大断面図である。
【発明を実施するための形態】
【００１４】
以下に、本発明の代表的な実施形態における水処理装置の構成を図１〜図８を参照して説明する。なお、本実施形態は、一般家庭、集合住宅等から排出される原水（「排水」ないし「被処理水」ともいう）を水処理領域に受け入れて処理する水処理装置について説明するものである。
【００１５】
図１に示すように、水処埋装置１００は、当該水処埋装置１００の躯体（外郭）を構成する槽状の処理槽本体１０１を有する。処理槽本体１０１は、鉛直方向に関して、上方に配置される上側槽構成体１０１Ａと下方に配置される下側槽構成体１０１Ｂを連結して構成される。この上側槽構成体１０１Ａおよび下側槽構成体１０１Ｂがそれぞれ、本発明における「上側槽構成体」および「下側槽構成体」に対応する実施構成例である。図１および図３に示すように、処理槽本体１０１は、平面視で略矩形状に形成され、互いに平行な側壁１０１ａ，１０１ｂと、互いに平行な側壁１０１ｃ，１０１ｄと、底壁１０１ｅおよび上壁１０１ｆによって構成される。この水処埋装置１００は、屎尿と併せて生活雑排水（生活系の汚水）を処理する構成の水処理装置である。この処理槽本体１０１が、本発明における「槽本体」に対応する実施構成例である。
【００１６】
図１に示すように、処理槽本体１０１は、流入管１０２、流出管１０３及びマンホール部１０４を備えている。流入管１０２は、被処理水（原水）を処理槽本体１０１の内部空間に導入するための開口部分として構成される。流出管１０３は、処理後の水を処理槽本体１０１の内部空間から導出するための開口部分として構成される。マンホール部１０４は、入槽用、内部点検用、清掃用のマンホールが形成された部位として構成される。
【００１７】
なお、処理槽本体１０１のうちのマンホール部１０４側（上側槽構成体１０１Ａ側、上壁１０１ｆ側）が槽上方または槽上部と規定され、その反対側（下側層構成体１０１Ｂ側、底壁１０１ｅ側）が槽下方、槽下部または槽底部と規定される。また、処理槽本体１０１のうちの流入管１０２側（側壁１０１ｃ側）が上流側と規定され、また流出管１０３側（側壁１０１ｄ側）が下流側と規定される。また、図１において、マンホール部１０４の延在面に沿った方向が水平方向（槽前後方向とも称す）と規定され、水平方向と交差する方向が鉛直方向（槽上下方向とも称す）と規定される。また、図１の紙面に垂直な方向（槽前後方向と槽上下方向に直交する方向、図３における上下方向）が槽左右方向と規定される。なお、図１〜図６における矢印は、被処理水の流れを示している。
【００１８】
図１に示すように、処理槽本体１０１の内部空間には、流入管１０２を通じて受け入れた原水を貯留しつつ所定の水処理がなされる水処理領域が形成されている。この水処理領域には、沈殿分離槽１２０、清掃孔１３０、嫌気処理槽１４０、好気処理槽１５０、処理水槽１６０及び消毒槽１７０が形成されている。図２に示すように、流入管１０２を通じて処理槽本体１０１（流入バッフル１１０）に流入した排水は、沈殿分離槽１２０、嫌気処理槽１４０、好気処理槽１５０、処理水槽１６０及び消毒槽１７０において順次処埋され、処理後の水は流出管１０３を通じて処理槽本体１０１の外部へと流出される。また、沈殿分離槽１２０と清掃孔１３０の間、および嫌気処理槽１４０と好気処理槽１５０の間では、被処理水が循環するように構成されている。なお、水処理装置１００は、処理槽本体１０１外へと流出した水をそのまま放流する浄化槽として構成されてもよいし、或いは処理槽本体１０１外へと流出した水をトイレや散水用の水として再利用する水再利用装置として構成されてもよい。
【００１９】
流入バッフル１１０は、水処理領域のうちの最上流領域を構成している。流入管１０２から流入バッフル１１０に流入した排水は、沈殿分離槽１２０に移流される。沈殿分離槽１２０に流入した被処理水は固液分離処理され、被処理水から分離された固形成分は沈殿汚泥として沈殿分離槽１２０の底部に堆積される。流入バッフル１１０に排水が流入することで、排水が間接的に沈殿分離槽１２０に流入され、沈殿分離槽１２０おける沈殿した汚泥等の撹拌が抑制される。
【００２０】
図１および図３に示すように、沈殿分離槽１２０とその下流側の嫌気処理槽１４０の間には槽上下方向（鉛直方向）に延在する隔壁１０５が設けられている。この隔壁１０５は、上側槽構成体１０１Ａと下側槽構成体１０１Ｂのそれぞれの側壁１０１ａ，１０１ｂおよび下側槽構成体１０１Ｂの底壁１０１ｅに取り付けられる。図４に示すように、隔壁１０５における上方領域には、沈殿分離槽１２０と嫌気処理槽１４０を連通する左右の開口部１０５ａ，１０５ｂが形成されている。図３および図４に示すように、隔壁１０５には、沈殿分離槽１２０と清掃孔１３０を区画するための区画壁１３１が取り付けられている。この区画壁１３１は、槽左右方向に関して、側壁１０１ａ，１０１ｂから離間して設けられ、槽前後方向に関して、側壁１０１ｃ，１０１ｄから離間して設けられている。この区画壁１３１によって、清掃孔１３０が、槽左右方向に関する隔壁１０５の中央領域に対応して設定される。すなわち、清掃孔１３０は、処理槽本体１０１の槽左右方向に関する中心部を含み、図３に示すように当該中心部に対して対称な形状を有する。換言すると、清掃孔１３０は、処理槽本体１０１の槽左右方向に関する中心と通過し、槽前後方向に延在する仮想平面に対して対称に形成されている。この清掃孔１３０に対して、開口部１０５ａ，１０５ｂは、清掃孔１３０の左右にそれぞれ設けられている。
【００２１】
図１および図４に示すように、区画壁１３１の下端部は、処理槽本体１０１の底部（底壁１０１ｅ）から離間するように配置されており、これにより沈殿分離槽１２０の下方領域は、清掃孔１３０に連通している。すなわち、区画壁１３１の下端部は、清掃孔１３０の下端開口１３０ａとして形成されており、下端開口１３０ａは、底壁１０１ｅから上方に離間するように形成される。なお、区画壁１３１の上端部の清掃孔１３０の上端開口１３０ｂは、上壁１０１ｆから下方に離間するように形成される。清掃孔１３０には、ドラフトチューブとして形成された長尺状かつ網目状の濾材１３２および濾材１３２を貫通する第１散気管１９０が設けられている。第１散気管１９０は、図４に示すように、清掃孔１３０における右側の領域に配置されている。第１散気管１９０の下端部から下端開口１３０ａを介して清掃孔１３０内に空気が供給されると、清掃孔１３０の右側の領域には上向流が発生し、清掃孔１３０の左側の領域には下向流が発生する。これにより、清掃孔１３０内に旋回流が発生し、清掃孔１３０内の被処理水が撹拌される。したがって、清掃孔１３０は、被処理水を撹拌する撹拌孔とも称する。
【００２２】
第１散気管１９０から散気された空気は、濾材１３２を通過して細分化される。沈殿分離槽１２０の底部に堆積した汚泥は、旋回流（上向流および下向流）によって被処理水とともに清掃孔１３０内を循環する。清掃孔１３０において、汚泥は、細分化された空気によって効率的に好気処理される。水処理領域における水位の変動により、清掃孔１３０内の汚泥と沈殿分離槽１２０の底部の汚泥は往来し、これにより沈殿分離槽１２０内に気泡を含む汚泥が供給される。その結果、沈殿分離槽１２０においては、気泡を含む汚泥が浮上してスカム化し、高濃度に汚泥が貯留される。
【００２３】
図３に示すように、沈殿分離槽１２０内の被処理水は、左右の開口部１０５ａ，１０５ｂを通じて、下流側の嫌気処理槽１４０に移送される。
【００２４】
図１、図３および図５に示すように、嫌気処理槽１４０は、第１嫌気室１４１、第２嫌気室１４２を備えている。嫌気処理槽１４０とその下流側の好気処理槽１５０の間には槽上下方向（鉛直方向）および槽左右方向に延在する隔壁１０６が設けられている。この隔壁１０６は、上側槽構成体１０１Ａと下側槽構成体１０１Ｂのそれぞれの側壁１０１ａ，１０１ｂおよび下側槽構成体１０１Ｂの底壁１０１ｅに取り付けられる。すなわち、隔壁１０６は、水処理装置１００の外壁を形成する槽本体部１０１の上側槽構成体１０１Ａと下側槽構成体１０１Ｂに連結される。これにより、隔壁１０６は、水処理装置１００の水処理領域における槽前後方向（図１、図３の左右方向）に関して、前側（図１、図３の左側）の嫌気処理槽１４０等の上流側処理領域と後側（図１、図３の右側）の好気処理槽１５０等の下流側処理領域の複数の処理領域に区画する。この隔壁１０６が、本発明における「第１区画壁」に対応する実施構成例である。また、嫌気処理槽１４０および好気処理槽１５０がそれぞれ、本発明における「第１処理領域」および「第２処理領域」に対応する実施構成例である。この隔壁１０６の前側（上流側）には、図３に示すように、嫌気処理槽１４０をさらに第１嫌気室１４１と第２嫌気室１４２とを区画するための区画壁１４３が取り付けられている。この区画壁１４３によって、第２嫌気室１４２が、槽左右方向に関する隔壁１０６の中央領域に対応して設定される。図５に示すように、区画壁１４３の下端部は、処理槽本体１０１の底部から離間するように配置されており、これにより第１嫌気室１４１の下方領域は、第２嫌気室１４２に連通している。
【００２５】
また、図３に示すように、隔壁１０６の後側（下流側）には、隔壁１０６の下流側の領域を好気処理槽１５０と処理水槽１６０に区画するための区画壁１６１が取り付けられている。この区画壁１６１が、本発明における「第２区画壁」に対応する実施構成例である。また、処理水槽１６０が、本発明における「第３処理領域」に対応する実施構成例である。区画壁１４３で区画される第２嫌気室１４２の槽左右方向の長さは、区画壁１６１で区画される処理水槽１６０の槽左右方向の長さより長くなるように設定される。これにより、図３、図５および図６に示すように、隔壁１０６のうち、槽左右方向に関して、区画壁１６１の外側（処理水槽１６０の外側）であって、区画壁１４３の内側（第２嫌気室１４２の内側）において、第２嫌気室１４２と好気処理槽１５０を連通する左右の開口部１０６ａ，１０６ｂが設けられる。
【００２６】
隔壁１０６は、区画壁１４３および区画壁１６１が隔壁１０６に予め取り付けられた状態で、処理槽本体１０１に組み付けられる。具体的には、図７に示すように、隔壁１０６のそれぞれの面に対して区画壁１６１および区画壁１４３が取り付けられたアセンブリ体が構成される。その後、アセンブリ体を処理槽本体１０１に取り付けることで、隔壁１０６、区画壁１４３および区画壁１６１が組み付けられる。これにより、水処理装置１００の製造工程において、第２嫌気室１４２、好気処理槽１５０および処理水槽１６０が効率的かつ簡易的に設置される。
【００２７】
図１および図３に示すように、第１嫌気室１４１のうち槽上下方向における中間領域には、有機汚濁物質を嫌気処理する嫌気性微生物が付着する所定量の嫌気濾材が充填された嫌気濾床１４４が処理槽本体１０１に支持されるように設けられている。嫌気濾材としては、平板状の濾材や骨格様球状の濾材を好適に用いることができる。この嫌気濾床１４４では、被処理水が嫌気処理及び濾過処理され、これによりＢＯＤの低減と汚泥物の除去が行なわれる。
【００２８】
第１嫌気室１４１で嫌気処理された被処理水は、第１嫌気室１４１の下方領域から第２嫌気室１４２の下方領域に移送され、第２嫌気室１４２内を上昇する。その後、被処理水は、開口部１０６ａおよび開口部１０６ｂを通過して好気処理槽１５０に移流される。
【００２９】
この第２嫌気室１４２には、第１エアリフトポンプ１８０が設置されている。この第１エアリフトポンプ１８０は、嫌気処理槽１４０内に沈殿した汚泥を被処理水とともに、流入バッフル１１０に返送する。この第１エアリフトポンプ１８０は、嫌気濾床が設けられていない第２嫌気室１４２に設けられている。そのため、第１エアリフトポンプ１８０と嫌気濾床１４４との干渉が回避される。すなわち、第２嫌気室１４２は、嫌気処理槽１４０に流入した被処理水を第１嫌気室１４１内において下向流として流通させて嫌気処理する機能と、第１エアリフトポンプ１８０を嫌気濾床１４４から隔離する機能を有する。
【００３０】
図３に示すように、隔壁１０６の下流側には、槽左右方向に関する中央領域に処理水槽１６０が設定されている。具体的には、区画壁１６１で囲まれた領域が処理水槽１６０として設定されている。また、図６に示すように、好気処理槽１５０は、処理槽本体１０１内において、処理水槽１６０を挟んで左側領域と右側領域が下部領域で連通するように形成される。この好気処理槽１５０の下部領域は、処理水槽１６０に連通している。
【００３１】
図６に示すように、好気処理槽１５０内には、被処理水中の有機汚濁物質を好気分解（好気処理）する好気性微生物が付着する好気濾床１５１ａ，１５１ｂが設けられている。好気濾床１５１ａは、好気濾床１５１ｂより下方の領域に設けられている。好気濾床１５１ａは、網様ロール状の濾材によって構成されている。具体的には、網様ロール状の濾材は、ポリプロピレン、ポリエチレン等の樹脂からなる線材が立体的に絡まる網状体であり、直径約１００ｍｍ、長さ約１００ｍｍの円筒形に成形されている。したがって、好気濾床１５１ａは、複数の網様ロール状の濾材が所定の領域に充填されて構成されている。なお、好気濾床１５１ａの好気濾材は、網状体、球状体、板状体の濾材や、多孔質材料で成形された濾材を用いてもよい。一方、好気濾床１５１ｂは、ブロック状の（単一の）濾材によって構成されている。具体的には、ブロック状の濾材は、ポリプロピレン、ポリエチレン等の樹脂からなる線材が立体的に絡まる網状体であり、ブロック状に一体に成形されている。したがって、上側の好気濾床１５１ｂは、下側の好気濾床１５１ａの複数の濾材が流出を防止する蓋の機能を有する。この好気濾床１５１ｂは、処理槽本体１０１に支持されたネットや板状部材等の保持部材によって保持されている。なお、好気濾床１５１ｂの好気濾材は、一体に成形された濾材であれば、板状等の他の形状に成形されていてもよい。
【００３２】
図６に示すように、好気処理槽１５０には、第２散気管１９１が設けられている。これにより、好気濾床１５１を通過する被処理水は、第２散気管１９１から供給される空気によって好気処理される。好気濾床１５１ａ，１５１ｂによって好気処理された被処理水は、好気処理槽１５０の下部領域に移送される。
【００３３】
図１および図６に示すように、処理水槽１６０には、第２エアリフトポンプ１８１が設けられている。第２エアリフトポンプ１８１は、処理水槽１６０の下部領域まで延在している。これにより、好気処理槽１５０から処理水槽１６０に移送される被処理水の一部は、処理水槽１６０に移送される前に、第２エアリフトポンプ１８１によって流入バッフル１１０に返送される。これにより、水処理装置１００内の被処理水は、流入バッフル１１０、沈殿分離槽１２０、嫌気処理槽１４０および好気処理槽１５０を循環する。
【００３４】
図１および図３に示すように、処理水槽１６０を形成する区画壁１６１の内側には、区画壁１７１によってさらに区画された消毒槽１７０が設けられている。この消毒槽１７０が、本発明における「消毒領域」に対応する実施構成例である。この消毒槽１７０を形成する区画壁１７１は、区画壁１６１に取り付けられている。この区画壁１７１は、予め区画壁１６１に取り付けられており、隔壁１０６および区画壁１４３，１６１により形成するアセンブリ体の一部を構成する。また、処理水槽１６０には、処理水槽１６０内の被処理水を消毒槽１７０に移送するための第３エアリフトポンプ１８２が設けられている。
【００３５】
消毒槽１７０には、消毒処理を行うための固形消毒剤が充填された薬剤筒（図示省略）が設けられている。この薬剤筒から溶出した消毒剤によって消毒処理がなされた後の水は、流出管１０３を通じて処理槽本体１０１の外部へと排出される。なお、消毒槽１７０の下流には、更に別の槽、例えば放流用のポンプが設置された放流ポンプ槽などを設けてもよい。
【００３６】
これら第１〜第３エアリフトポンプ１８０〜１８２および第１、第２散気管１９０，１９１は、空気供給装置（図示省略）に接続されており、エアバルブによって空気の供給および遮断が切り替えられる。なお、第１〜第３エアリフトポンプ１８０〜１８２および第１、第２散気管１９０，１９１に設けられたエアバルブは、コントローラ（図示省略）によって制御されている。
【００３７】
水処理領域における水位の変動に伴って、第１〜第３エアリフトポンプ１８０〜１８２の揚程が変動する。すなわち、水処理領域における被処理水の水位が高くなると、揚程が短くなり、エアリフトポンプによる被処理水の移送量が多くなる。一方、水処理領域における被処理水の水位が低くなると、揚程が長くなり、エアリフトポンプによる被処理水の移送量が少なくなる。そのため、エアリフトポンプを利用することにより、水処理装置１００に流入する排水が多くなり水処理領域の水位が上昇した場合であっても、水位の上昇に応じてエアリフトポンプの能力を上げることができる。
【００３８】
次に、処理槽本体１０１に対する隔壁１０６および区画壁１４３，１６１の組み付けについて説明する。図７に示すように、区画壁１６１には、槽後方に向かって突出するとともに槽左右方向に延在する固定リブ１６２が設けられている。この固定リブ１６２は、区画壁１６１に形成された流出管１０３を配置するための開口部１６５よりも下方に設けられている。この固定リブ１６２が、本発明における「凸部」に対応する実施構成例である。
【００３９】
図８に示すように、固定リブ１６２は、上側槽構成体１０１Ａと下側槽構成体１０１Ｂの連結領域２００において、上側槽構成体１０１Ａと下側槽構成体１０１Ｂに挟持されて支持される。図１に示すように、連結領域２００は、水処理装置１００の上下方向に関して、略中央領域に設定されている。
【００４０】
図８に示すように、上側槽構成体１０１Ａには、水処理装置１００の外側に突出する連結フランジ２１０が設けられている。この連結フランジ２１０は、水処理装置１００の外周全域に渡って設けられている。連結フランジ２１０は、上側槽構成体１０１Ａの側壁１０１ａ，１０１ｂ，１０１ｃ，１０１ｄのそれぞれの側壁から水平方向に延在する水平部分２１０ａと、水平部分２１０ａの先端に連接され、垂直方向に延在する垂直部分２１０ｂによって構成されている。
【００４１】
また、下側槽構成体１０１Ｂにも同様に連結フランジ２２０が設けられている。この連結フランジ２２０は、連結フランジ２１０に対応して、処理装置１００の外周全域に渡って設けられている。連結フランジ２２０は、下側槽構成体１０１Ｂの側壁１０１ａ，１０１ｂ，１０１ｃ，１０１ｄのそれぞれの側壁から水平方向に延在する第１水平部分２２０ａと、第１水平部分２２０ａの先端に段付き状に連接された第２水平部分２２０ｂによって構成されている。これにより、区画壁１６１の固定リブ１６２が保持される保持部２３０が形成される。この保持部２３０が、本発明における「凹部」に対応する実施構成例である。
【００４２】
まず、下側槽構成体１０１Ｂに対して隔壁１０６および区画壁１４３，１６１のアセンブリ体が載置される。このとき、下側槽構成体１０１Ｂの保持部２３０と区画壁１６１の固定リブ１６２が係合し、固定リブ１６２の上面と第２水平部分２２０ｂの上面が略同一平面となる。その後、固定リブ１６２と第２水平部分２２０ｂの上面に接着剤２４０が塗付され、上側槽構成体１０１Ａが載置される。これにより、区画壁１６１の固定リブ１６２が上側槽構成体１０１Ａと下側槽構成体１０１Ａに挟持される。なお、上側槽構成体１０１Ａの連結フランジ２１０と下側槽構成体１０１Ｂの連結フランジ２２０は、所定間隔で設けられたリベット２５０等の固定手段によって接合される。なお、固定手段としては、ボルトとナット等を使用してもよい。処理槽本体１０１に対して、区画壁１６１が組み付けられた後、流出管１０３が開口部１６５と上側槽構成体１０１Ａの開口部（図示省略）を貫通するように設置される。
【００４３】
以上の本実施形態によれば、固定リブ１６２と処理槽本体１０１（保持部２３０）の係合によって、嫌気処理槽１４０と好気処理槽１５０とを区画する隔壁１０６が、処理槽本体１０１の側壁１０１ａ，１０１ｂに直接支持されるだけでなく、区画壁１６１（固定リブ１６２）を介して処理槽本体１０１の側壁１０１ｄに支持される。これにより、処理槽本体１０１に対して傾斜して取り付けられることが回避され、処理槽本体１０１に安定的に保持される。このとき、固定リブ１６２は、区画壁１６１の開口部１６５と上側槽構成体１０１Ａの開口部の位置を合わせる機能も備える。
【００４４】
また、以上の本実施形態によれば、固定リブ１６２が槽左右方向に延在するように設けられているため、区画壁１６１と上側槽構成体１０１Ａの間に第２散気管１９１から供給された空気が入り込むことが抑制される。
【００４５】
また、本実施形態によれば、隔壁１０６のそれぞれの面に対して区画壁１６１および区画壁１４３が取り付けられたアセンブリ体が処理槽本体１０１に取り付けられる。これにより、処理槽本体１０１に対する隔壁１０６、区画壁１４３および区画壁１６１の組み付け作業が簡略化される。
【００４６】
また、以上の本実施形態によれば、水処理装置１００において、平面視で清掃孔１３０が沈殿分離槽１２０に囲まれるように配置されている。そのため、複数の方向において沈殿分離槽１２０と清掃孔１３０の連通が図られる。すなわち、処理槽本体１０１の左右方向および前後方向において、沈殿分離槽１２０と清掃孔１３０が連通する。これにより、沈殿分離槽１２０と清掃孔１３０の間において被処理水が効率的に流通される。
【００４７】
また、本実施形態によれば、第１散気管１９０から供給される空気によって、清掃孔１３０内の被処理水に旋回流を発生させるとともに、旋回流による被処理水の流れによって沈殿分離槽１２０と清掃孔１３０の間において被処理水が効率的に流通される。また、第１散気管１９０から供給される空気が濾材１３２によって細分化されるため、清掃孔１３０内を旋回する被処理水に含まれる汚泥を細かい気泡によって効果的に好気処理することができる。
【００４８】
以上の本実施形態においては、隔壁１０６と区画壁１４３，１６１が予め一体となったアセンブリ体を構成していたが、これには限られない。例えば、隔壁１０６と区画壁１６１のみが一体となったアセンブリ体を構成してもよい。
【００４９】
また、以上の本実施形態においては、区画壁１６１に凸部としての固定リブ１６２が形成され、処理槽本体１０１に凹部としての保持部２３０が形成されていたが、これには限られない。例えば、区画壁１６１に凹部を形成し、処理槽本体１０１（上側槽構成体１０１Ａまたは下側槽構成体１０１Ｂ）に凸部を形成してもよい。
【００５０】
また、以上の本実施形態においては、水処理装置１００にエアリフトポンプを設けていたが、エアリフトポンプ以外の水中ポンプを設置してもよい。その場合には、コントローラが、水位の変動に応じて、水中ポンプによる被処理水の移送量を制御する。
【００５１】
また、以上の実施形態においては、水処理装置１００は、流入バッフル１１０、沈殿分離槽１２０、清掃孔１３０、嫌気処理槽１４０、好気処理槽１５０、処理水槽１６０及び消毒槽１７０の各処理要素によって構成される場合について説明したが、処理要素の数や種類に関しては必要に応じて種々選択が可能である。したがって、区画壁１６１で囲まれる領域に、処理水槽１６０のみを形成してもよく、処理水槽１６０と消毒槽１７０に加えて好気処理槽等を形成してもよい。
【００５２】
また、以上の実施形態においては、一般家庭、集合住宅等から排出される原水を処理する水処理装置１００について記載したが、本発明は、一般家庭、集合住宅以外に、商業施設、公共施設、工場等の設備から排出される原水を処理する水処理装置に対しても適用することが可能である。
【００５３】
（実施形態の各構成要素と本発明の各構成要素の対応関係）
以上の実施形態は、本発明を実施するための形態の一例を示すものである。したがって、本発明は、実施形態の構成に限定されるものではない。なお、実施形態の各構成要素と本発明の各構成要素の対応関係を以下に示す。
水処理装置１００は、本発明の「水処理装置」に対応する構成の一例である。
処理槽本体１０１は、本発明の「槽本体部」に対応する構成の一例である。
上側槽構成体１０１Ａは、本発明の「上側槽構成体」に対応する構成の一例である。
下側槽構成体１０１Ｂは、本発明の「下側槽構成体」に対応する構成の一例である。
流出管１０３は、本発明の「排出管」に対応する構成の一例である。
隔壁１０６は、本発明の「第１区画壁」に対応する構成の一例である。
区画壁１６１は、本発明の「第２区画壁」に対応する構成の一例である。
固定リブ１６２は、本発明の「凸部」に対応する構成の一例である。
保持部２３０は、本発明の「凹部」に対応する構成の一例である。
沈殿分離槽１２０は、本発明の「第１処理領域」に対応する構成の一例である。
清掃孔１３０は、本発明の「第１処理領域」に対応する構成の一例である。
嫌気処理槽１４０は、本発明の「第１処理領域」に対応する構成の一例である。
嫌気処理槽１４０は、本発明の「嫌気処理領域」に対応する構成の一例である。
好気処理槽１５０は、本発明の「第２処理領域」に対応する構成の一例である。
好気処理槽１５０は、本発明の「好気処理領域」に対応する構成の一例である。
処理水槽１６０は、本発明の「第２処理領域」に対応する構成の一例である。
消毒槽１７０は、本発明の「第２処理領域」に対応する構成の一例である。
消毒槽１７０は、本発明の「第３処理領域」に対応する構成の一例である。
消毒槽１７０は、本発明の「消毒領域」に対応する構成の一例である。
【符号の説明】
【００５４】
１００  水処理装置
１０１  処理槽本体
１０１Ａ  上側槽構成体
１０１Ｂ  下側槽構成体
１０１ａ  側壁
１０１ｂ  側壁
１０１ｃ  側壁
１０１ｄ  側壁
１０１ｅ  底壁
１０１ｆ  上壁
１０２  流入管
１０３  流出管
１０４  マンホール部
１０５  隔壁
１０５ａ  開口部
１０５ｂ  開口部
１０６  隔壁
１０６ａ  開口部
１０６ｂ  開口部
１１０  流入バッフル
１２０  沈殿分離槽
１３０  清掃孔
１３０ａ  下端開口
１３０ｂ  上端開口
１３１  区画壁
１３２  濾材
１４０  嫌気処理槽
１４１  第１嫌気室
１４２  第２嫌気室
１４３  区画壁
１４４  嫌気濾床
１５０  好気処理槽
１５１  好気濾床
１６０  処理水槽
１６１  区画壁
１６２  固定リブ
１６５  開口部
１７０  消毒槽
１７１  区画壁
１８０  第１エアリフトポンプ
１８１  第２エアリフトポンプ
１８２  第３エアリフトポンプ
１９０  第１散気管
１９１  第２散気管
２００  連結領域
２１０  連結フランジ
２１０ａ  水平部分
２１０ｂ  垂直部分
２２０  連結フランジ
２２０ａ  第１水平部分
２２０ｂ  第２水平部分
２３０  保持部
２４０  接着剤
２５０  リベット
【図１】
0006541384.tif 000002
【図２】
0006541384.tif 000003
【図３】
0006541384.tif 000004
【図４】
0006541384.tif 000005
【図５】
0006541384.tif 000006
【図６】
0006541384.tif 000007
【図７】
0006541384.tif 000008
【図８】
0006541384.tif 000009